(57)【要約】【課題】機材等に作用する繰り返し荷重を的確に把握することが可能な繰り返し荷重の確率密度分布予測方法を提供することを目的とする。【解決手段】柱に架渉された配電線を当該柱に支持する支持機材において、電線の線路方向に作用する繰り返し変動荷重と風速との相関関係を利用すること、さらに既知の風速観測データから土地利用状況により影響を及ぼす、架渉された配電線高さにおける任意の地点の自然風の確率密度分布を予測することにより、任意の地点に架渉された前記支持機材に対して電線の線路方向に作用する繰り返し荷重の確率密度分布を予測する構成とした。【選択図】図５
2014174113.tif 000002
【特許請求の範囲】
【請求項１】
柱に架渉された配電線を当該柱に支持する支持機材において、
電線の線路方向に作用する繰り返し変動荷重と風速との相関関係を利用すること、
さらに既知の風速観測データから任意の地点の風速の確率密度分布を予測することにより、
任意の地点に架渉された前記支持機材に対して電線の線路方向に作用する繰り返し荷重の確率密度分布を予測することを特徴とする、繰り返し荷重の確率密度分布予測方法。
【請求項２】
電線の線路方向に作用する繰り返し変動荷重について、風速との相関関係に基づき、風速に相当する圧力である風圧荷重の係数として導出し、当該係数の確率密度分布を算出することにより特定することを特徴とする、請求項１に記載の繰り返し荷重の確率密度分布予測方法。
【請求項３】
前記既知の風速観測データとして、複数の気象観測所に係る代表的な風速の頻度分布に基づいて、
統計処理により、土地利用状況により影響される架渉された配電線高さにおける任意の地点の自然風の確率密度分布を算出することを特徴とする、請求項１に記載の繰り返し荷重の確率密度分布予測方法。
【発明の詳細な説明】
【技術分野】
【０００１】
本発明は、自然風により架渉線機材に生じる繰り返し荷重の確率密度分布を予測する方法に関する。
【背景技術】
【０００２】
配電線の支持機材における強度評価は、機材が経験しうる最悪状況を想定し、その状況下において発生する終極荷重について、機材の応力評価を行うことが一般的である。
【０００３】
詳しくは、この終極荷重での発生応力に対して機材の材料の機械的特性が満足するか否かにより機材の強度評価がなされる。このような設計を耐力設計という。この耐力設計では、大きな力に対して材料が塑性破壊する現象について、機材の安全性を評価する手法として用いられる。
【０００４】
一方、機材・構造物の破壊現象として挙げられるのが、疲労損傷破壊である。この破壊は、材料の耐力を超過しない範囲で生じる繰り返し応力により部材に小さな損傷が蓄積し、最終的に部材の破壊に至るものである。従来から、繰り返し応力によって機材等に疲労損傷破壊が生じることは知られており、この疲労損傷破壊に対向すべく種々の方策が講じられてきた。
【０００５】
例えば、特許文献１では、溶接により製造された鋼構造物の溶接部と母材との境界面が疲労損傷に弱く、疲労破壊の起点となる点に着目し、鋼構造物における溶接箇所の溶接止端部に対し、当該溶接止端部の温度が１００℃以上４００℃未満で超音波ピーニング処理を行い、かつピーニング処理部を徐冷することによって、塑性加工による硬度上昇に伴う疲労強度の上昇効果を、より向上させることができる鋼構造物の高耐久化処理方法が開示されている。
【先行技術文献】
【特許文献】
【０００６】
【特許文献１】特開２０１３−００６２１５号公報
【発明の概要】
【発明が解決しようとする課題】
【０００７】
しかしながら、機材等の疲労損傷破壊に対する評価を正確に行うことはできていない。疲労損傷破壊に対する評価を正確に行うためには、機材に作用する繰り返し荷重を的確に把握する必要があるが、配電線の支持機材に作用する疲労損傷に影響を及ぼすこの繰り返し荷重について的確に把握できておらず、正確な評価が行えていないのが現状である。
【０００８】
そこで本発明は、上記問題点に対処するため、機材等に作用する繰り返し荷重を的確に把握することが可能な繰り返し荷重の確率密度分布予測方法を提供することを目的とする。
【課題を解決するための手段】
【０００９】
前記目的を達成するため、請求項１の発明では、
柱に架渉された配電線を当該柱に支持する支持機材において、
電線の線路方向に作用する繰り返し変動荷重と風速との相関関係を利用すること、
さらに既知の風速観測データから任意の地点の自然風の確率密度分布を予測することにより、
任意の地点に架渉された前記支持機材に対して電線の線路方向に作用する繰り返し荷重の確率密度分布を予測する、繰り返し荷重の確率密度分布予測方法とした。
【００１０】
請求項２の発明では、
電線の線路方向に作用する繰り返し変動荷重について、風速との相関関係に基づき、風速に相当する圧力である風圧荷重の係数として導出し、当該係数の確率密度分布を算出することにより特定する、請求項１に記載の繰り返し荷重の確率密度分布予測方法とした。
【００１１】
請求項３の発明では、
前記既知の風速観測データとして、複数の気象観測所に係る代表的な風速の頻度分布に基づいて、
統計処理により、土地利用状況により影響される架渉された配電線高さにおける任意の地点の自然風の確率密度分布を算出する、請求項１に記載の繰り返し荷重の確率密度分布予測方法とした。
【発明の効果】
【００１２】
本発明によれば、繰り返し荷重の確率密度分布を的確に予測することができるようになるため、架渉線機材の疲労損傷破壊に対する評価を正確に行うことができ、機材の長期信頼性設計を合理的に行うことができる。
【発明を実施するための最良の形態】
【００１３】
本発明は、柱に架渉された配電線を当該柱に支持する支持機材において、電線の線路方向に作用する繰り返し変動荷重と風速との相関関係を利用すること、さらに既知の風速観測データから任意の地点の自然風の確率密度分布を予測することにより、任意の地点に架渉された前記支持機材に対して電線の線路方向に作用する繰り返し荷重の確率密度分布を予測する構成とすることにより、架渉線機材の疲労損傷破壊に対する評価を正確に行うことができ、機材の長期信頼性設計を合理的に行うことができる。
なお、本発明中の風速とは、人工的な風ではなく自然風の速度を意味する。また、本発明中の風速は、所定の期間における自然風の速度の平均成分を扱う。この所定の期間の代表的な期間として、気象観測所のデータでは、「１０分間」とするのが一般的である。
【図面の簡単な説明】
【００１４】
【図１】本発明の一実施例である実施例１の情報処理装置のハードウェア構成を模式的に示した概念図である。
【図２】本発明の一実施例である実施例１の情報処理装置の形状係数・尺度係数記憶領域の構造を模式的に示した図である。
【図３】本発明の一実施例である実施例１の情報処理装置の乱れ強さ関連情報記憶領域内のべき指数の構成を模式的に示した図である。
【図４】本発明の一実施例である実施例１の情報処理装置が用いる風力係数に係る架線状態を概念的に示す説明図である。
【図５】本発明の一実施例である実施例１の情報処理装置が実行する処理の流れを示す流れ図である。
【図６】本発明の一実施例である実施例１の情報処理装置が実行する処理の内、任意の地点のワイブル係数c,kの算出例である。
【図７】本発明の一実施例である実施例１の情報処理装置が実行する処理の内、風速の確率密度分布の算出例である。
【図８】本発明の一実施例である実施例１の情報処理装置が実行する処理の内、風力係数Cuの確率密度分布の算出例である。
【図９】本発明の一実施例である実施例１の情報処理装置が実行する処理の内、繰り返し変動荷重の確率密度分布の算出例である。
【図１０】本発明の一実施例である実施例１の情報処理装置が実行する処理の内、繰り返し変動荷重の頻度分布の算出例である。
【実施例１】
【００１５】
以下、添付図面を参照して本発明に係る実施例を詳細に説明する。ただし、この実施例に記載されている構成要素はあくまでも例示であり、本発明の範囲をそれらのみに限定する趣旨のものではない。
【００１６】
＜情報処理装置１００の構成＞
情報処理装置１００は、任意の地点に架渉された前記支持機材に対して電線の線路方向に作用する繰り返し荷重の確率密度分布を予測するものである。情報処理装置１００は、例えば、パーソナルコンピュータ（ＰＣ）やワークステーション（ＷＳ）等で実現される。
【００１７】
次に、情報処理装置１００のハードウェア構成について、図１を参照して説明する。図１は、情報処理装置１００のハードウェア構成を模式的に示したブロック図である。
【００１８】
外部記録媒体接続手段１０３は、メディアへのアクセスを実現するためのものであり、メディア（記録媒体）１０４に記憶されたプログラム等を情報処理装置１００にロードすることができる。
【００１９】
記憶手段１０５は、大容量メモリとして機能する、例えばＨＤＤ（ハードディスクドライブ）を有しており、記憶手段１０５には、アプリケーションプログラム、ＯＳ、制御プログラム、関連プログラム等が記憶される。
【００２０】
また、この記憶手段１０５には形状係数・尺度係数記憶領域１５１、乱れ強さ関連情報記憶領域１５２、風力係数の確率密度分布式記憶領域１５３、風速の確率密度分布記憶領域1５４、風力係数の確率密度分布記憶領域１５５、繰り返し荷重の確率密度分布式記憶領域１５６、繰り返し荷重の確率密度分布記憶領域１５７、架線条件情報記憶領域１５８が設けられている。ただし、この構成に限定されるわけではなく、例えば、形状係数・尺度係数記憶領域１５１、乱れ強さ関連情報記憶領域１５２、風力係数の確率密度分布式記憶領域１５３、風速の確率密度分布記憶領域1５４、風力係数の確率密度分布記憶領域１５５、繰り返し荷重の確率密度分布式記憶領域１５６、繰り返し荷重の確率密度分布記憶領域１５７、架線条件情報記憶領域１５８をメディア１０４に設ける構成としてもよい。
【００２１】
＜形状係数・尺度係数記憶領域１５１の構成＞
形状係数・尺度係数記憶領域１５１には、図２に示すように、各観測地点の緯度・経度、形状係数k、及び尺度係数cが記憶されている。なお、各観測地点とは、既存の各気象観測所が設置されている地点であって、図２では各観測所名が表示されている。従って、形状係数・尺度係数記憶領域１５１には、各気象観測所における緯度・経度、形状係数k、及び尺度係数cが記憶されていることとなる。なお、本発明での対象となる機材は配電線支持物であり、当該機材は自然風が土地の利用状況によって大きく影響される地上高２０m未満に設置されている。このような高さでの風の頻度分布を予測するために既存の観測データは地上高２０m未満で観測されているものを用いる。例えば、気象庁所有の観測データなどは地上高２０m未満の観測データが多く含まれている。また、「形状係数k」は、分布の起伏の変化に影響を及ぼすパラメータであり、「尺度係数c」は、分布の累積頻度が６３．２％になるときの確率変数の値（風速）を示したものであり、分布の平均的な値を示すパラメータである。
【００２２】
＜乱れ強さ関連情報記憶領域１５２の構成＞
乱れ強さ関連情報記憶領域１５２には、乱れ強さ関連情報として、図３に示すように、地表面粗度区分１〜５に対応して、べき指数が記憶されている。この粗度区分、べき指数は、例えば、日本建築学会出版の建築物荷重指針・同解説（２００４）によって公開されているものを流用する。また、乱れ強さ関連情報として、機材の設置場所の地上高Z（m）の風速の乱れ強さIzを算出するための数１及び数２が記憶されている。この数１及び数２は、例えば、日本建築学会出版の建築物荷重指針・同解説（２００４）によって公開されているものを流用する。なお、「乱れ強さIz」とは、風速の乱れ強さ（＝所定の時間で平均値に対してどれだけ風がばらつくか）を示したものである。
【００２３】
【数１】
2014174113.tif 000003
【００２４】
【数２】
2014174113.tif 000004
【００２５】
＜風力係数の確率密度分布式記憶領域１５３の構成＞
風力係数の確率密度分布式記憶領域１５３には、風力係数の確率密度分布fcuを算出するための数３が記憶されている。
【００２６】
【数３】
2014174113.tif 000005
なお、数３の中で示される風力係数Cuは、数４にて導出される。また、風力係数Cuは、電線の線路方向に作用する繰り返し荷重の変動分に対するもの（＝電線の線路方向に作用する繰り返し変動荷重）であって、風速との相関関係に基づき、風速に相当する圧力である風圧荷重の係数として導出される。
【００２７】
【数４】
2014174113.tif 000006
【００２８】
なお、実際の架線状態の概念図である図４に示すように、数4中の「Tu」は、「所定の不平衡張力の値（N）」であり、「Ｄ」は、「電線の弛みの長さを示す弛度（m）」であり、「S」は、「電柱の間隔を示す径間（m）」であり、「ρ」は、「空気密度（kg/m3）」であり、「B」は、「電線の外径（m）」であり、「v」は、「10分間平均風速（m/s）」である。なお、空気密度のρの値としては、標準大気密度の「１．２２５（kg/m3）」の値を用いる。
【００２９】
＜風速の確率密度分布記憶領域１５４の構成＞
風速の確率密度分布記憶領域１５４には、ユーザによって入力された任意の地点に係る形状係数k及び尺度係数cに基づいて算出された風速の確率密度分布fv（＝ワイブル分布関数）が記憶される。
【００３０】
＜風力係数の確率密度分布記憶領域１５５の構成＞
風力係数の確率密度分布記憶領域１５５には、上述した数３によって算出された風力係数の確率密度分布fcuが記憶される。
【００３１】
＜繰り返し荷重の確率密度分布式記憶領域１５６の構成＞
繰り返し荷重の確率密度分布式記憶領域１５６には、繰り返し荷重の確率密度分布fTuを算出するための数５が記憶されている。
【００３２】
【数５】
2014174113.tif 000007
【００３３】
＜繰り返し荷重の確率密度分布記憶領域１５７の構成＞
繰り返し荷重の確率密度分布記憶領域１５７には、上述した数５によって算出された繰り返し荷重の確率密度分布fTuが、機材の設置場所に関連付けて記憶される。
【００３４】
＜架線条件情報記憶領域１５８の構成＞
架線条件情報記憶領域１５８には、ユーザによって入力された弛度D（m）、径間S（m）、電線外径Ｂ（m）といった架線条件が記憶される。
【００３５】
なお、記憶手段１０５に、基本Ｉ／Ｏプログラム等のプログラム、基本処理において使用する各種の情報を記憶する、ＲＯＭ（Read Only Memory）等を有する構成としても良い。また、記憶手段１０５に、各種の情報を一時記憶するための制御手段１１０の主メモリ、ワークエリア等として機能する、ＲＡＭ（Random Access Memory）等を有する構成としても良い。
【００３６】
入力手段１０６は、例えば、キーボードやポインティングデバイス（マウス等）、タッチパネルである。この入力手段１０６を用いて、ユーザは、情報処理装置１００に対して情報処理装置１００を制御するコマンド等を入力指示する。特に、ユーザは入力手段１０６を用いて、機材の設置場所（＝機材の設置場所の緯度・経度）や、機材の設置場所の地上高Z（m）や、１〜５のいずれかの粗度区分や、弛度D（m）、径間S（m）、電線外径Ｂ（m）といった架線条件を入力する。
【００３７】
表示手段１０７は、例えば液晶ディスプレイ、有機ELディスプレイ、ＣＲＴであり、入力手段１０６から入力されたコマンドや、それに対する管理装置６００の応答出力等を表示するものである。例えば、表示手段１０７は、算出された風速の確率密度分布fvや、算出された風力係数の確率密度分布fcuや、算出された繰り返し荷重の確率密度分布fTuを表示する。
【００３８】
バス１０９は、情報処理装置１００内の情報の流れを司るものであり、情報処理装置１００内の制御手段１１０や記憶手段１０５等の各装置を接続する信号線である。１０８は通信手段であり、この通信手段１０８を介して外部装置との情報のやり取りを行う。
【００３９】
制御手段１１０は、例えばＣＰＵ（Central Processing Unit）であって、記憶手段１０５に記憶されているアプリケーションプログラム、オペレーティングシステム（ＯＳ）や制御プログラム等を実行し、記憶手段１０５にプログラムの実行に必要な情報、ファイル等を一時的に記憶する制御を行う。
【００４０】
また、制御手段１１０は、入力手段１０６を通じて、機材の設置場所（＝機材の設置場所の緯度・経度）の入力を受け付けると、形状係数・尺度係数記憶領域１５１に記憶されている各気象観測所の緯度・経度と比較して、当該機材の設置場所に最も近い２つの地点に係る形状係数k及び尺度係数cを夫々特定する制御を行う。例えば、制御手段１１０は、機材の設置場所を基準として、上下あるいは左右方向に最も近い２つの地点に係る形状係数k及び尺度係数cを夫々特定する。あるいは、例えば、制御手段１１０は、主に風が吹く方向に対して、機材の設置場所を基準として、最も近い上流側の地点と、下流側の地点に係る形状係数k及び尺度係数cを夫々特定する。
【００４１】
なお、本実施例では、ユーザによって入力された機材の設置場所の緯度・経度と、各気象観測所の緯度・経度とを比較して、当該機材の設置場所に最も近い２つの地点に係る形状係数k及び尺度係数cを夫々特定する構成を示したが、この構成に限定されるものではない。例えば、形状係数kと尺度係数cの分布をコンター（等値線）図化し、あらかじめ記憶手段１０５等に記憶させておく。そして、機材の設置場所に最も近い２つの地点に係る形状係数k及び尺度係数cを特定する際には、制御手段１１０は、表示手段１０７上に当該コンター図を表示させ、入力手段１０６を通じてユーザから機材の設置場所の入力を受け付けると、入力された機材の設置場所と同一の等値線上にある２つの地点に係る形状係数k及び尺度係数cを夫々特定する制御を行う。
【００４２】
また、制御手段１１０は、２つの地点に係る形状係数kと尺度係数cについて線形補間を行い、機材の設置場所に係る形状係数kおよび尺度係数ｃを算出する制御を行う。また、制御手段１１０は、機材の設置場所に係る形状係数k及び尺度係数cに基づいて、機材の設置場所に係る風速の確率密度分布fv（＝ワイブル分布関数）を算出する制御を行う。そして、制御手段１１０は、算出した機材の設置場所の風速の確率密度分布fvを風速の確率密度分布記憶領域１５４に記憶させる制御を行う。
【００４３】
また、制御手段１１０は、乱れ強さ関連情報記憶領域１５２を参照して、風速の乱れ強さIzを算出する制御を行う。詳しくは、制御手段１１０は、乱れ強さ関連情報記憶領域１５２を参照し、ユーザによって入力された粗度区分に対応するべき指数を特定し、特定されたべき指数と、ユーザによって入力された機材の設置場所の地上高Z（m）を用いて風速の乱れ強さIzを算出する。
【００４４】
また、制御手段１１０は、入力手段１０６を通じて、弛度D（m）、径間S（m）、電線外径Ｂ（m）といった架線条件情報の入力を受け付けると、当該情報を架線条件情報記憶領域１５８に記憶させる制御を行う。
【００４５】
また、制御手段１１０は、風力係数の確率密度分布式記憶領域１５３を参照して、風力係数の確率密度分布fcuを算出する制御を行う。詳しくは、制御手段１１０は、風速の乱れ強さIzを、数３に代入して風力係数の確率密度分布fcuを算出する。そして、制御手段１１０は、算出した風力係数の確率密度分布fcuを風力係数の確率密度分布記憶領域１５５に記憶させる制御を行う。
【００４６】
また、制御手段１１０は、繰り返し荷重の確率密度分布式記憶領域１５６を参照して、繰り返し荷重の確率密度分布fTuを算出する制御を行う。詳しくは、制御手段１１０は、架線条件情報記憶領域１５８から弛度D（m）、径間S（m）、電線外径Ｂ（m）を呼び出して、風力係数Cuと不平衡張力Tuの関係を示す数４から由来される下記の数６に代入し、当該算出結果に、風速の確率密度分布記憶領域１５４から呼び出した機材の設置場所の風速の確率密度分布fvと、風力係数の確率密度分布記憶領域１５５から呼び出した風力係数の確率密度分布fcuを乗算して、乗算結果を積分して、繰り返し荷重の確率密度分布fTuを算出する。そして、制御手段１１０は、算出した繰り返し荷重の確率密度分布fTuを繰り返し荷重の確率密度分布記憶領域１５７に記憶させる制御を行う。
【００４７】
【数６】
2014174113.tif 000008
【００４８】
また、制御手段１１０は、繰り返し荷重の確率密度分布記憶領域１５７に記憶されている繰り返し荷重の確率密度分布fTuを機材の設置場所に関連付けて表示させる制御を行う。制御手段１１０は、図１０に示すように、このfTuに基づいて、指定の階級幅に区分された各Tu(不平衡張力)に対して指定した期間中の出現頻度を表示させることができる。
【００４９】
以上の各手段と同等の機能を実現するソフトウェアにより、ハードウェア装置の代替として構成することもできる。
【００５０】
本実施例では、メディア１０４から本実施例に係るプログラム及び関連する情報を直接記憶手段１０５のＲＡＭ等にロードして実行させる例を示しているが、これ以外にも、本実施例に係るプログラムを動作させる度に、既にプログラムがインストールされている記憶手段１０５のＨＤＤ等から記憶手段１０５のＲＡＭ等にロードするようにしてもよい。加えて、本実施例に係るプログラムを記憶手段１０５のＲＯＭ等に記憶しておき、これをメモリマップの一部をなすように構成し、直接制御手段１１０で実行することも可能である。
【００５１】
さらに、本実施例では、説明の便宜のため、情報処理装置１００を１つの装置で実現した構成について述べているが、複数の装置にリソースを分散した構成によって実現してもよい。例えば、記憶や演算のリソースを複数の装置に分散した形に構成してもよい。あるいは、情報処理装置１００上で仮想的に実現される構成要素毎にリソースを分散し、並列処理を行うようにしてもよい。
【００５２】
＜情報処理装置１００が実行する処理の流れ＞  
次に、情報処理装置１００が実行する処理の流れを、図５を用いて説明する。情報処理装置１００は、入力手段１０６を通じて、機材の設置場所の入力を受け付けると、形状係数・尺度係数記憶領域１５１を参照して、当該機材の設置場所に最も近い２つの地点に係る形状係数k及び尺度係数cを夫々特定する。情報処理装置１００は、特定された２つの地点に係る形状係数k及び尺度係数cを線形補間し、機材の設置場所に係る形状係数kおよび尺度係数ｃを算出する（ステップＳ５０１）。そして、情報処理装置１００は、機材の設置場所に係る形状係数k及び尺度係数cに基づいて、機材の設置場所の風速の確率密度分布fv（＝ワイブル分布関数）を算出する（ステップＳ５０２）。情報処理装置１００は、算出した機材の設置場所の風速の確率密度分布fvを風速の確率密度分布記憶領域１５４に記憶させる。
【００５３】
例えば、図６に示すように、予測地点Ｅの緯度、経度を入力すると、その地点の近傍にある既存の観測所の中から、予測地点Ｅを基準として、上下あるいは左右方向に最も近い地点に在る２つの観測所を選択する。なお、図６では、予測地点Ｅを基準として、左右方向に最も近い地点に在る観測所Ａ及び観測所Ｂを選択する。この２カ所のデータから求めたワイブル係数（形状係数kと尺度係数c）について線形補間を行うことによって、予測地点Ｅの形状係数k「０．９５」の値および尺度係数ｃ「１．７」の値が算出され、この形状係数k及び尺度係数cの値に基づいて、図７に示すように、風速の確率密度分布fvが算出される。
【００５４】
情報処理装置１００は、乱れ強さ関連情報記憶領域１５２を参照し、ユーザによって入力された粗度区分に対応するべき指数を特定し、特定されたべき指数と、ユーザによって入力された機材の設置場所の地上高Z（m）を用いて風速の乱れ強さIzを算出する（ステップＳ５０３）。情報処理装置１００は、風力係数の確率密度分布式記憶領域１５３を参照して、風力係数の確率密度分布fcuを算出する（ステップＳ５０４）。
【００５５】
例えば、ユーザによって入力された予測地点Ｅの粗度区分が「３」(α＝０．２)であり、ユーザによって入力された予測地点Ｅの地上高Ｚの値が「10ｍ」の場合は、数１と数２の関係から、風速の乱れ強さIzは「０．２６」と算出され、数３により風力係数の確率密度分布fcuが図８に示すように算出される。なお、図８では、ユーザによって入力された予測地点Ｅの粗度区分は、ギリシャ文字の「３」で表示されている。情報処理装置１００は、算出した風力係数の確率密度分布fcuを風力係数の確率密度分布記憶領域１５５に記憶させる。
【００５６】
情報処理装置１００は、入力手段１０６を通じて、弛度D（m）、径間S（m）、電線外径Ｂ（m）といった架線条件情報の入力を受け付けると、当該情報を架線条件情報記憶領域１５８に記憶させる。そして、情報処理装置１００は、繰り返し荷重の確率密度分布式記憶領域１５６と、架線条件情報記憶領域１５８を参照して、繰り返し荷重の確率密度分布fTuを算出する（ステップＳ５０５）。例えば、図７の風速の確率密度分布fvおよび図８の風力係数の確率密度分布fcuから、数５により繰り返し荷重の確率密度分布fTuが、図９で示されるように算出される。
【００５７】
このように、繰り返し荷重の確率密度分布fTuを算出（＝予測）する構成としたことによって、架渉線機材の疲労損傷破壊に対する評価を正確に行うことができ、機材の長期信頼性設計を合理的に行うことができる。
【００５８】
本実施例では、形状係数・尺度係数記憶領域１５１に記憶させた形状係数kと尺度係数cとを利用する構成を示したが、この構成に限定されるわけではない。
【００５９】
例えば、前述のワイブル分布関数による風況予測においても、観測所間の形状係数k及び尺度係数cから補間する構成だけでなく、粗度区分や地形情報等を因子として、形状係数kや尺度係数cを補正する構成等も当該実施例として含まれる。
【００６０】
またワイブル分布関数による予測以外にも、「風速比解析」などがある。この解析は基準位置の風速と対象地域の風速との同時刻歴での風速観測データの比をとり、その比をエリア的にまとめるものである。その場合、形状係数・尺度係数記憶領域１５１の代わりに、記憶手段１０５内等に風速比記憶領域（図示省略）を設け、情報処理装置１００は、当該風速比記憶領域に各観測所の風速比を記憶させる。そして、情報処理装置１００は、風速の確率密度分布領域１５４に風速の確率密度分布fvを記憶させる。
【００６１】
またさらには、年間の風速頻度をワイブル分布関数以外の他の分布関数（例えば対数正規分布など）で示し、当該関数の係数について補間する手法なども考えられる。その場合、形状係数・尺度係数記憶領域１５１の代わりに、記憶手段１０５内等に当該他の分布関数の係数を記憶する記憶領域を設ける。そして、情報処理装置１００は、風速の確率密度分布領域１５４に風速の確率密度分布fvを記憶させる。
【００６２】
以上、本発明の実施例について詳述したが、本発明は、例えば、システム、装置、方法、プログラムもしくは記憶媒体等としての実施態様を取ることが可能である。
【００６３】
また、本発明は、上述した実施例の機能を実現するプログラムを、システムあるいは装置に、直接あるいは遠隔から供給する。そして、そのシステムあるいは装置のコンピュータが供給された当該プログラムからプログラムコードを読み出して実行することによって達成される場合を含む。
【００６４】
したがって、本発明の機能処理をコンピュータで実現するために、このコンピュータにインストールされるプログラム自体も本発明の技術的範囲に含まれる。つまり、本発明は、本発明の機能処理を実現するためのコンピュータプログラム自体も含む。この場合、プログラムの提供方法としては、ＣＤ−ＲＯＭ、ＤＶＤ等の記憶媒体を用いて提供する方法や、電気通信回線を介して提供する方法等が含まれる。
【符号の説明】
【００６５】
１００：情報処理装置、１０３：外部記憶媒体接続手段、１０４：メディア、１０５：記憶手段、１０６：入力手段、１０７：表示手段、１０８：通信手段、１０９：バス、１１０：制御手段、１５１：形状係数・尺度係数記憶領域、１５２：乱れ強さ関連情報記憶領域、１５３：風力係数の確率密度分布式記憶領域、１５４：風速の確率密度分布記憶領域、１５５：風力係数の確率密度分布記憶領域、１５６：繰り返し荷重の確率密度分布式記憶領域、１５７：繰り返し荷重の確率密度分布記憶領域、１５８：架線条件情報記憶領域
【図１】
2014174113.tif 000009
【図２】
2014174113.tif 000010
【図３】
2014174113.tif 000011
【図４】
2014174113.tif 000012
【図５】
2014174113.tif 000013
【図６】
2014174113.tif 000014
【図７】
2014174113.tif 000015
【図８】
2014174113.tif 000016
【図９】
2014174113.tif 000017
【図１０】
2014174113.tif 000018